(57)【特許請求の範囲】
【請求項１】
遊技者から見て左右方向に並んで配置された複数の図柄表示体と、該複数の図柄表示体の前側をカバーする透光性のカバー体とを備える図柄表示装置において、
隣り合う前記図柄表示体の境界部分に対応する仕切バーと、
該仕切バーによって区画されて前記図柄表示体のそれぞれに対応する窓と
を有する枠体を前記カバー体に重ねて配置し、
前記カバー体は、前記複数の図柄表示体と同数のレンズを有し、前記複数のレンズそれぞれが、前記複数の図柄表示体それぞれの前側に配置され、
前記複数の図柄表示体の少なくともいずれか一つはＬＥＤドットマトリクス表示器を用いて構成され、当該ＬＥＤドットマトリクス表示器の前側をカバーする前記レンズは半透明であること
を特徴とする図柄表示装置。
【請求項２】
請求項１記載の図柄表示装置において、
前記図柄表示体のいずれかは、回転によって図柄をスクロール表示する回転体であることを特徴とする図柄表示装置。
【請求項３】
請求項２記載の図柄表示装置において、
前記回転体はドラムであり、
前記カバー体の前記図柄表示体に対面する部分は遊技者側が凸となる曲面で、
前記仕切バーは前記カバー体の曲面に整合して曲がっている
ことを特徴とする図柄表示装置。
【請求項４】
請求項２または３記載の図柄表示装置において、
前記図柄表示体の他のいずれかは、発光状態を変化させることで図柄を変動表示する電気的表示体であることを特徴とする図柄表示装置。
【発明の詳細な説明】
【０００１】
【発明の属する技術分野】
本発明は遊技機の技術分野に属し、詳しくは遊技機に装着される図柄表示装置に関する。
【０００２】
【従来の技術】
スロットマシンは、複数の図柄を変動表示してから静止表示し、その静止表示された図柄の組合せで当たり外れを示す図柄表示装置を備えている。また、パチンコ機等の弾球遊技機にも同様の図柄表示装置を備えるものが多い。
【０００３】
そうした図柄表示装置には、図柄表示体（例えば回転によって図柄をスクロール表示するドラムやベルトなどの回転体）を遊技者から見て左右方向に並んで例えば３つ配置しておき、それらで別個に図柄を変動表示してから静止表示するものがある。
【０００４】
また、図柄表示装置では、図柄表示体の前側をカバーする透光性のカバー体を備えるのが普通である。
ところで、複数の図柄表示体を左右方向に並んで配置する場合には、各図柄表示体の輪郭（例えば隣同士の境界部分）に隙間ができたりするので、その隙間部分などを遊技者の視線から隠して見ばえを良くするために、隣り合う図柄表示体の境界部分に対応する不透明な仕切帯をカバー体に設けていた。具体的には、仕切帯が印刷されたフィルムをカバー体の射出成形時にインモールドして、カバー体に仕切帯を設けていた。
【０００５】
【発明が解決しようとする課題】
しかしながら、カバー体をインモールド成形して仕切帯を設ける方法は、仕切帯が印刷されたフィルムの位置決めが難しい等もあって、歩留まりに問題があった。
【０００６】
また、カバー体と仕切帯とが一体化されてしまうことから、一方のみの設計変更やデザイン変更が容易ではなく、たとえマイナーな変更であっても簡単には対応できなかった。
さらには、インモールド成形の金型や製品自体のコストが高いという問題もあった。
【０００７】
【課題を解決するための手段及び発明の効果】
請求項１記載の図柄表示装置は、遊技者から見て左右方向に並んで配置された複数の図柄表示体と、該複数の図柄表示体の前側をカバーする透光性のカバー体とを備える図柄表示装置において、隣り合う前記図柄表示体の境界部分に対応する仕切バーと、該仕切バーによって区画されて前記図柄表示体のそれぞれに対応する窓とを有する枠体を前記カバー体に重ねて配置し、前記カバー体は、前記複数の図柄表示体と同数のレンズを有し、前記複数のレンズそれぞれが、前記複数の図柄表示体それぞれの前側に配置され、前記複数の図柄表示体の少なくともいずれか一つはＬＥＤドットマトリクス表示器を用いて構成され、当該ＬＥＤドットマトリクス表示器の前側をカバーする前記レンズは半透明であることを特徴とする。
【０００８】
隣り合う図柄表示体の境界部分にできる隙間部分などを遊技者の視線から隠して見ばえを良くするための仕切バーを備える枠体をカバー体とは別体で製造して、これをカバー体に重ねて配置する構成を採用したので、例えばカバー体をインモールド成形する際の印刷フィルムの位置決めのような問題は発生せず、歩留まりが向上する。
【０００９】
また、カバー体と仕切バー（枠体）とが一体化されていないので、一方のみの設計変更やデザイン変更にも迅速かつ容易に対応できる。
しかも、カバー体及び枠体のための金型も低コストであり、それらの射出成形コストもインモールド成形に比べれば格段に安くなる。
【００１０】
請求項２記載の図柄表示装置は、請求項１記載の図柄表示装置において、前記図柄表示体のいずれかは、回転によって図柄をスクロール表示する回転体であることを特徴とする。
回転によって図柄をスクロール表示する回転体としては、複数種類の図柄を有するドラム（リールとも呼ばれる。）やベルトが例示される。これらドラムやベルトは、他の部材との干渉を避けるために上述の隙間が必須となる。つまり本発明は回転体を用いる図柄表示装置に適している。
【００１１】
回転体の中でもドラムの場合は、カバー体にもドラムに倣った曲面を設けることが多い。その場合は請求項３記載のように、請求項２記載の図柄表示装置において、前記回転体はドラムであり、前記カバー体の前記図柄表示体に対面する部分は遊技者側が凸となる曲面で、前記仕切バーは前記カバー体の曲面に整合して曲がっている構成を採用するとよい。
【００１２】
請求項４記載の図柄表示装置は、請求項２または３記載の図柄表示装置において、前記図柄表示体の他のいずれかは、発光状態を変化させることで図柄を変動表示する電気的表示体であることを特徴とする。
複数の図柄表示体のいずれかを回転体とし、他のいずれかを電気的表示体としているので、回転体によるスクロール表示と電気的表示体による変動表示との組合せで興趣ある表示内容を実現できる。
なお、発光状態を変化させるというのは、電気的な発光の例えば点滅、明暗、色彩、発光位置などを変化させることを言い、そうした表示体としては液晶表示器、ＥＬ（エレクトロルミネッセンス）表示器、ＬＥＤ等のドットマトリクス表示器、ＣＲＴなどが例示される。
【００１３】
【発明の実施の形態】
次に、本発明の実施例により発明の実施の形態を説明する。
【００１４】
【実施例】
図１〜８を参照して、図柄表示装置の保護・装飾枠部分であるセンターケース１０を説明する。なお、図１はセンターケース１０の正面側斜視図、図２は図１に対応する分解斜視図、図３はセンターケース１０の背面側斜視図、図４は図３に対応する分解斜視図、図５はセンターケース１０の正面図、図６はセンターケース１０の背面図、図７はセンターケースの層構造の説明図であり、（ａ）は図５のＤ−Ｄ断面図、（ｂ）は同Ａ−Ａ断面図、（ｃ）は側面図、図８はセンターケース１０の層構造の説明図であり、（ａ）は平面図、（ｂ）は図５のＣ−Ｃ断面図である。
【００１５】
この図柄表示装置では、図柄表示体として周知のドラムを遊技者側から見て左と右に、同じく図柄表示体として周知のＬＥＤドットマトリクス表示器を中央にして、合計３体の図柄表示体を遊技者から見て左右方向に並べて配置しているが、これらドラム及びＬＥＤドットマトリクス表示器は周知であるので、その図示と説明は省略する。また、この図柄表示装置（センターケース１０）は遊技機の一種であるパチンコ機に装着されるが、その装着した状態や装着手順などは公知のものと同様であるので、これについても図示と説明を省略する。
【００１６】
図１に示すように、センターケース１０は、表側（遊技者側）から順に、装飾板２０、反射板２５、ベースブロック３０、表示枠４０、カバー体に該当するレンズ部６０、装飾用の光源であるＬＥＤ７１ａ、７２ａが装着された配線基板７１、７２及び背面板８０にて構成されている。
【００１７】
装飾板２０は透明樹脂による射出成形品で、前から見て右側が尖頭の略卵形をしている。装飾板２０の中央部は透明窓２１であり、その下部が波状になっているので完全ではないがほぼ楕円形である。
透明窓２１を上半部から右下にわたって取り囲んでいる部分は装飾ミラー部２２で、この表面にはハーフミラー２２ａが積層されている。本実施例では、透明フィルムにアルミニウムを蒸着したものをハーフミラー２２ａとして使用している。装飾ミラー部２２には、ランプ風車３７用の楕円形の穴２２ｂが設けられ、また遊技盤に取り付けられた風車（図示は省略）のための半円状の切欠２２ｃが設けられている。また、装飾ミラー部２２の背面には、ベースブロック３０とのスペーサであり遊技球が透明窓２１の中心部側に侵入するのを防止する部材ともなるリブ２２ｄや連結のためのボス２２ｅ等も設けられている。
【００１８】
透明窓２１の左側には略円形の入口壁２３が設けられており、この前面に入口飾２４が取り付けられている。入口壁２３はベースブロック３０のＵ字樋３２と共同してワープ入口を形成している。
反射板２５はプラスチック製の薄板で、その装飾板２０側の表面はアルミニウム蒸着により鏡面とされている。反射板２５は、装飾ミラー部２２の入口壁２３から切欠２２ｃまでの部分とほぼ整合する形状で、穴２２ｂに対応する穴２５ａ、配線基板７２の各ＬＥＤ７２ａに対応する複数の穴２５ｂ、ボス２２ｅ等のための切欠２５ｃなどが設けられている。
【００１９】
ベースブロック３０は射出成形品で、センターケース１０を遊技盤に取り付けるための部材であり、またセンターケース１０の他の部分を保持する部材でもある。
ベースブロック３０の基板部３１は装飾板２０とほぼ対応する略卵形をしている。この基板部３１には楕円形の窓穴３１ａが設けられ、外周部分には遊技盤に取り付ける際のビス穴３１ｂが設けられている。また、装飾ミラー部２２の穴２２ｂ及び反射板２５の穴２５ａに対応する楕円の内側で円形に凹陥した風車取付部３１ｃ、装飾ミラー部２２の切欠２２ｃに対応する切欠３１ｄ、配線基板７２の各ＬＥＤ７２ａに対応する複数の穴３１ｅ等も設けられている。
【００２０】
風車取付部３１ｃの中央には風車軸受３６が立設されており、これに軸３７ａを貫通させてランプ風車３７が装着されている。ランプ風車３７の回転部分（風車本体）３７ｂは顔料で着色された透光性のプラスチック成形品である。また、風車軸受３６の左右には、風車用のＬＥＤ７２ｂを挿通させるための一対の穴３６ａが設けられている。
【００２１】
基板部３１の前面側には上述のＵ字樋３２が突出形成されている。なお、Ｕ字樋３２の奥側の端は開放されており、遊技球が通過できる。Ｕ字樋３２の上側には、基板部３１の外周に沿った庇リブ３３が設けられており、この庇リブ３３は、その下方への遊技球の侵入を防止する部材であり装飾板２０とのスペーサともなる。また、基板部３１の前面側にはボス受３４が立設されており、それぞれ装飾板２０のボス２２ｅ等が嵌合される。
【００２２】
一方、基板部３１の裏面側には外周リブ３５が立設されている。この外周リブ３５は、ほぼ基板部３１の外周に沿った環状をなしている。
表示枠４０は、いずれも射出成形品である表示枠本体４１、頂部レンズ４２、サブステージ４３及びステージ飾４４によって構成されている。
【００２３】
表示枠本体４１の下部は、遊技球を遊動させるメインステージ４５となっている。メインステージ４５の上面には遊技球の落下通路となる凹み４５ａが設けられており、メインステージ４５上の遊技球は凹み４５ａから落下する。なお、メインステージ４５の下面（外面）はベースブロック３０の外周リブ３５の内面と整合する形状で、外周リブ３５に嵌合した状態となっている。
【００２４】
サブステージ４３は、中央部が上に凸（山状）でその左右に遊技球の落下通路となる凹み４３ａを備える、板状の部材である。サブステージ４３は、表示枠本体４１に設けられた嵌合口４１ａに突起を嵌合させることで、表示枠本体４１に固定される。
【００２５】
ステージ飾４４は、サブステージ４３の下側にできる空隙の目隠しとなる部材であり、ボス４４ａにて表示枠本体４１にビス止めされて固定される。
メインステージ４５の左には曲面部分が連続しており、その終端部にはワープ樋部４６が設けられている。ワープ樋部４６には、Ｕ字樋３２に接続される樋入口４６ａ及びサブステージ４３の上方に開口する樋出口４６ｂが設けられており、樋入口４６ａから流入させた遊技球を樋出口４６ｂから流出させる。なお、ワープ樋部４６の背面側は開放状態であるが、組立状態では補助部材６４にて閉鎖されるので、ここから遊技球が漏出することはない。
【００２６】
表示枠本体４１には、ほぼ長方形の表示窓４７が設けられており、その上縁部４８には配線基板７１に保持されたＬＥＤ７１ａを挿通させる穴４８ａが設けられている。そして、これらのＬＥＤ７１ａを覆う態勢で、頂部レンズ４２が上縁部４８に固定されている。また、上縁部４８の上方には、円弧状のスペーサリブ５５が設けられている。
【００２７】
表示窓４７は２本の仕切バー４９によって３つの小窓５０ａ、５０ｂ、５０ｃに区画されている。また、仕切バー４９及び表示窓４７の左右の縁部５１は、遊技者側が凸となる円弧状である。
表示枠本体４１の上部から右側部にかけては板状の張出部５３が設けられており、その背面には配線基板７２等をビス止めするためのボス５３ａが立設され、また自身をベースブロック３０にビス止めするためのビス穴５３ｂが設けられている。さらに、ＬＥＤ７２ａ用の穴５３ｃや切欠５３ｄ、風車取付部３１ｃとの干渉を回避するための切欠５３ｅ等も設けられている。張出部５３のアウトラインはほぼベースブロック３０の外周リブ３５に沿っているが、外周リブ３５よりは小さくて外周リブ３５の内側に収容される。
【００２８】
表示窓４７の上縁部４８及び下縁部５４は張出部５３よりも後方に引込んだ位置にあり、レンズ部６０をビス止めするためのボス４８ｂ、５４ａが立設されている。また上縁部４８には配線基板７１用のボス４８ｃも立設されている。
レンズ部６０は、透明レンズ部６２と半透明レンズ部６３とで構成され、またレンズ部６０の傍らには補助部材６４が付随している。これら透明レンズ部６２、半透明レンズ部６３及び補助部材６４は、いずれも射出成形品である。
【００２９】
透明レンズ部６２の左右部分は、いずれもほぼ透明な左レンズ６１ａ及び右レンズ６１ｃとなっており、左レンズ６１ａと右レンズ６１ｃの間には嵌合窓６２ａが設けられている。一方、半透明レンズ部６３の中央部には、暗色の顔料により半透明とされている中レンズ６１ｂが設けられている。
【００３０】
左レンズ６１ａ及び右レンズ６１ｃは、その背後に配されたドラム式の図柄表示体のドラムに倣った遊技者側が凸となる曲面体で、中レンズ６１ｂも同様の曲面体である。また、左レンズ６１ａ、中レンズ６１ｂ及び右レンズ６１ｃの曲面形状は仕切バー４９及び表示窓４７の左右の縁部５１の背面形状に整合する。そして、中レンズ６１ｂは嵌合窓６２ａにはめ込まれ、左レンズ６１ａ、中レンズ６１ｂ及び右レンズ６１ｃの表面がほぼ一連となっている。組立状態では、これら左レンズ６１ａと中レンズ６１ｂの境界及び中レンズ６１ｂと右レンズ６１ｃの境界が仕切バー４９の背後に重なり、左レンズ６１ａ、右レンズ６１ｃの端縁が縁部５１に重なる。
【００３１】
左レンズ６１ａと右レンズ６１ｃとを透明にして中レンズ６１ｂを半透明としているのは、左レンズ６１ａと右レンズ６１ｃの背後にはドラム式の図柄表示体が各々１個あてで配され、中レンズ６１ｂの背後にはＬＥＤドットマトリクス表示器の図柄表示体が１個配されることによる。
【００３２】
ドラム式の場合、通常はドラムの内側に照明（電球やＬＥＤ）を配置して、その照明から出てドラムを透過する光にて図柄を明瞭にしている。つまり、ドラムを透過することで照明の光量が低下して、遊技者の目に強すぎない適度の光量になっている。
【００３３】
ところが、ＬＥＤドットマトリクス表示器の場合、その前方に図柄など（吸光材）が配されないので、そのままでは遊技者の目に強すぎる光量となってしまう。その不具合を解消する（遊技者の目に強すぎない適度の光量にする）ために中レンズ６１ｂを半透明としたものである。
【００３４】
なお、中レンズ６１ｂの透明度（光の透過率）は、その背後に配される電気的表示体（ここではＬＥＤドットマトリクス表示器）の発光特性に応じて設定される。また、中レンズ６１ｂを半透明にする手法は、成形樹脂への顔料の分散（本実施例）以外にも、例えばコーティングや半透明フィルムの貼着などを採用できる。
【００３５】
また、本実施例では３つ並んだレンズの中央のレンズを半透明にしているが、例えば左右のレンズの背後にＬＥＤドットマトリクス表示器のような電気的表示体を配するならこれらを半透明にすればよいわけで、どの位置のレンズを半透明にし、また透明にするかは背後に配置される図柄表示体に対応するので、一律には決まらない。
【００３６】
透明レンズ部６２の上縁６５及び下縁６６には貫通穴６５ｂ、６６ｂが設けられ、それぞれの背面には係止爪６５ａ、６６ａが設けられている。半透明レンズ部６３は、上縁６７及び下縁６８をそれぞれ係止爪６５ａ、６６ａにて係止されて、透明レンズ部６２と重ね合わせられている。
【００３７】
また、半透明レンズ部６３の上縁６７及び下縁６８には、それぞれビス穴６７ａ、６８ａが設けられており、ビス穴６７ａ、６８ａに挿通されて貫通穴６５ｂ、６６ｂを貫くビスにより、透明レンズ部６２と共に表示枠本体４１に取り付けられている。
【００３８】
補助部材６４は、ビス穴６４ａに挿通されたビスにより表示枠本体４１に取り付けられてワープ樋部４６の背面側を閉鎖している。前方に突出したリブ６４ｂはワープ樋部４６側に進入していて、樋入口４６ａから流入した遊技球を樋出口４６ｂに誘導する。
【００３９】
ＬＥＤ７１ａを保持した配線基板７１は頂部レンズ４２の背後に配され、そのビス穴７１ｂを貫通してボス４８ｃに螺合するビスにより表示枠本体４１に取り付けられている。
配線基板７２は、保持しているＬＥＤ７２ａを穴５３ｃ、切欠５３ｄ、穴３１ｅ、穴２５ｂに挿通させ、またＬＥＤ７２ｂを穴３６ａに挿通させて、ベースブロック３０の外周リブ３５と表示枠４０スペーサリブ５５の間に配されて表示枠本体４１のボス５３ａにビス止めされている。
【００４０】
配線基板７２に保持されたＬＥＤ７２ａから放射された光は、反射板２５の穴２５ａから装飾板２０に向かう。反射板２５に対面する部分が装飾ミラー部２２（ハーフミラー２２ａ）であるので、ＬＥＤ７２ａからの光の一部は装飾ミラー部２２を透過して外部すなわち遊技者側に放射される。しかし、残りの光は装飾ミラー部２２で反射されて反射板２５に入射する。ここで反射された光は再び装飾ミラー部２２に向かい、一部は透過して外部に出て、残りは反射されて反射板２５に入射する。つまり、ＬＥＤ７２ａからの光は、装飾ミラー部２２に入射する毎に一部が外部に出て、残りは反射板２５で反射されて再び装飾ミラー部２２に入射することを繰り返す。
【００４１】
ＬＥＤ７２ａから放射される光は角度は小さいながら円錐状に広がってハーフミラー２２ａにスポット状に当たる。しかも、ハーフミラー２２ａと反射板２５とが合わせ鏡になっている。そして、遊技者の装飾ミラー部２２（ハーフミラー２２ａ）への視線は真正面からではなくてわずかながら斜めになる。こうした関係から、ＬＥＤ７２ａから放射された光が上記の反射の繰り返すと、遊技者には装飾ミラー部２２にスポット状の明点が数珠状に形成されて見える。これらの明点は、上記の反射の繰り返しに伴ってＬＥＤ７２ａの光軸から逐次遠ざかり、遠くなるほど反射回数が多くなって光量が低下するので、数珠状の明点が徐々に弱まって見える。
【００４２】
なお、遊技者の視点がＬＥＤ７２ａの光軸上にある場合には、ＬＥＤ７２ａから放射された光の円錐状の広がりが拡大されるので、ＬＥＤ７２ａから出て装飾ミラー部２２を透過して放出される光は、装飾ミラー部２２のＬＥＤ７２ａの軸芯に対応する部分を中心とするハロー状に観察される。
【００４３】
このように、ハーフミラー２２ａと反射板２５とを平行状に配置して、その間にＬＥＤ７２ａからの光を放射することによって、単なるスポット状の照明効果ではない、変化のある照明効果が得られる。
配線基板７２の背後には、ベースブロック３０の外周リブ３５と表示枠４０スペーサリブ５５との隙間を閉鎖する姿勢で背面板８０が配されている。背面板８０にはビス用の穴８０ａが設けられており、これを貫通するビスにより表示枠本体４１に取り付けられている。また、ＬＥＤ７１ａ、７２ａ、７２ｂに電力を供給する配線のコネクタ用に長方形のコネクタ穴８０ｂが設けられている。
【００４４】
以上のように、本実施例の図柄表示装置（センターケース１０）は、左右方向に並んで配置された３つの図柄表示体の前側をカバーするレンズ部６０を透明レンズ部６２と半透明レンズ部６３とで構成し、中レンズ６１ｂを嵌合窓６２ａにはめ込んで左レンズ６１ａ、中レンズ６１ｂ及び右レンズ６１ｃを一連としている。そして、左レンズ６１ａと中レンズ６１ｂの境界及び中レンズ６１ｂと右レンズ６１ｃの境界が仕切バー４９の背後に重なる構造としている。
【００４５】
つまり、隣り合う図柄表示体の境界部分にできる隙間部分などを遊技者の視線から隠して見ばえを良くするための仕切バー４９を備える表示枠４０（表示枠本体４１）をレンズ部６０とは別体で製造して、これをレンズ部６０に重ねて配置する構成を採用したので、例えばレンズ部６０をインモールド成形する際の印刷フィルムの位置決めのような問題は発生せず、歩留まりが向上する。また、レンズ部６０と仕切バー４９（表示枠４０）とが一体化されていないので、一方のみの設計変更やデザイン変更にも迅速かつ容易に対応できる。しかも、レンズ部６０及び表示枠４０のための金型も低コストであり、それらの射出成形コストもインモールド成形に比べれば格段に安くなる。
【００４６】
左レンズ６１ａ及び右レンズ６１ｃの背後に配される図柄表示体はドラム式であり、左レンズ６１ａ及び右レンズ６１ｃは、その背後に配されたドラム式の図柄表示体のドラムに倣った遊技者側が凸となる曲面体で、中レンズ６１ｂも同様の曲面体である。そして、仕切バー４９は左レンズ６１ａ、中レンズ６１ｂ及び右レンズ６１ｃの曲面に整合して曲がっている。この構造は図柄表示体をドラムにするのに適しており、ドラムの横に他の部材との干渉を避けるための隙間を設けても仕切バー４９が良好に隠す。
【００４７】
また、本実施例の図柄表示装置（センターケース１０）は、２つのドラムと１つのＬＥＤドットマトリクス表示器とで図柄を表示するので、ドラムによるスクロール表示とＬＥＤドットマトリクス表示器による変動表示との組合せで興趣ある表示内容を実現できる。
【００４８】
さらに、このセンターケース１０は、その一部品としてランプ風車３７を含んでいるので、ランプ風車３７を独立で遊技盤に取り付ける必要がなくなる。また、ランプ風車３７のための配線穴を遊技盤に設ける必要もない。
実施例及び変形例にしたがって本発明の実施の形態を説明したが、本発明はこれらの例に限定されるものではない。
【図面の簡単な説明】
【図１】  実施例のセンターケースの正面側斜視図。
【図２】  図１に対応する分解斜視図。
【図３】  実施例のセンターケースの背面側斜視図。
【図４】  図３に対応する分解斜視図。
【図５】  実施例のセンターケースの正面図。
【図６】  実施例のセンターケースの背面図。
【図７】  実施例のセンターケースの層構造の説明図であり、（ａ）は図５のＤ−Ｄ断面図、（ｂ）は同Ａ−Ａ断面図、（ｃ）は側面図。
【図８】  実施例のセンターケースの層構造の説明図であり、（ａ）は平面図、（ｂ）は図５のＣ−Ｃ断面図。
【符号の説明】
７２ａ  ＬＥＤ
１０    センターケース
２０    装飾板
２２    装飾ミラー部
２５    反射板
３０    ベースブロック
３１    基板部
３７    ランプ風車
４０    表示枠（枠体）
４１    表示枠本体（枠体）
４７    表示窓
４９    仕切バー
５０ａ、５０ｂ、５０ｃ  小窓（図柄表示体に対応する窓）
６０    レンズ部（カバー体）
６１ａ  左レンズ
６１ｃ  右レンズ
６１ｂ  中レンズ
６２    透明レンズ部
６３    半透明レンズ部
６４    補助部材
７１    配線基板
７１ａ  ＬＥＤ
７２    配線基板
７２ａ  ＬＥＤ
８０    背面板
【図１】
0004745564.tif 000002
【図２】
0004745564.tif 000003
【図３】
0004745564.tif 000004
【図４】
0004745564.tif 000005
【図５】
0004745564.tif 000006
【図６】
0004745564.tif 000007
【図７】
0004745564.tif 000008
【図８】
0004745564.tif 000009